(57)【特許請求の範囲】
【請求項１】
上下の外壁パネル間の横目地をオープンジョイント化する外壁パネルのオープンジョイント構造であって、前記上下の外壁パネルのパネルフレームがそれぞれ、オープンジョイント形成部を含んだオープンジョイント形成部材兼用のフレーム部材を含み、該オープンジョイント形成部材兼用のフレーム部材は、薄肉鋼板の一体成形品からなり、上下の外壁パネルの各オープンジョイント形成部材兼用フレーム部材のオーブンジョイント形成部によって、それらの間に、後方に向けて階段状にのぼって水を侵入しにくくする等圧空間部を形成し、上下の外壁パネル間の横目地をオープンジョイント化していることを特徴とする外壁パネルのオープンジョイント構造。
【請求項２】
左右の外壁パネル間の縦目地をオープンジョイント化する外壁パネルのオープンジョイント構造であって、前記左右の外壁パネルのパネルフレームがそれぞれ、オープンジョイント形成部を含んだオープンジョイント形成部材兼用のフレーム部材を含み、該オープンジョイント形成部材兼用のフレーム部材は、薄肉鋼板の一体成形品からなり、左右の外壁パネルの各オープンジョイント形成部材兼用フレーム部材のオーブンジョイント形成部によって、それらの間に、後方に向けて蛇行して水を侵入しにくくする等圧空間部を形成し、左右の外壁パネル間の縦目地をオープンジョイント化していることを特徴とする外壁パネルのオープンジョイント構造。
【請求項３】
前記薄肉鋼板が、防錆性の表面処理鋼板からなる請求項１又は２に記載の外壁パネルのオープンジョイント構造。
【請求項４】
等圧空間部を形成している両オープンジョイント形成部材兼用フレーム部材が互いに同じ横断面形状の部材からなっている請求項１乃至３のいずれか一に記載の外壁パネルのオープンジョイント構造。
【発明の詳細な説明】
【０００１】
【発明の属する技術分野】
本発明は、外壁パネルのオープンジョイント構造及び外壁パネルに関する。
【０００２】
【従来の技術】
外壁パネルの施工において、現場での外壁パネル間の目地に対する厄介なシーリング工事を排除するため、外壁パネル間の目地をオープンジョイント化することが行われることがある。
【０００３】
そのような場合のオープンジョイント構造として、従来より、例えば、図４に示すように、外装材５１にスチール製のパネルフレーム５２を取り付けて形成される外壁パネル５３，５３間の目地５４内に、特定の断面形状に押出成形されたアルミニウム押出形材によるオープンジョイント形成部材５５，５５を取り付ける構造のものが提供されている。
【０００４】
オープンジョイント形成部材５５，５５にアルミニウム押出形材を用いるのは、オープンジョイントを形成するに必要な特種横断面形状を比較的容易に得られること、塗装しなくても錆びないこと、などの理由による。
【０００５】
【発明が解決しようとする課題】
しかしながら、アルミニウム押出方材によるオープンジョイント形成部材５５，５５を用いることは、上記のような利点を有する一方で、オープンジョイント構造実現のための構成部品として、オープンジョイント形成部材５５，５５を別途に必要とするため、部材点数が増加し、コストアップや生産性の低下を招くという問題がある。
【０００６】
本発明は、上記のような従来の問題点に鑑み、部材点数を削減して、コストダウン、生産性の向上を実現できる外壁パネルのオープンジョイント構造及び外壁パネルを提供することを課題とする。
【０００７】
【課題を解決するための手段】
上記の課題は、外装材にパネルフレームを取り付けて形成される外壁パネルの前記パネルフレームが、オープンジョイント形成部を含んだオープンジョイント形成部材兼用のフレーム部材を含み、このフレーム部材のオーブンジョイント形成部にて、外壁パネル間の目地がオープンジョイント化されていることを特徴とする外壁パネルのオープンジョイント構造によって解決される。
【０００８】
即ち、本発明のオープンジョイント構造では、外壁パネルのパネルフレームが、オープンジョイント形成部を含んだオープンジョイント形成部材兼用のフレーム部材を含んで構成されており、パネルフレーム部材とオープンジョイント形成部材とが、部品構成上一体のものとして構成されている。従って、外壁パネルのオープンジョイント構造を構成する部材点数を削減できて、コストダウン、生産性向上を実現することができる。
【０００９】
上記のオープンジョイント構造において、オープンジョイント形成部材兼用のフレーム部材が薄肉鋼板の成形品からなるものである場合は、パネルフレームを強度面等において有利な鋼製としながら、オープンジョイント形成部を含んで複雑で特種な横断面形状のパネルフレーム部材を、薄肉鋼板を用いてこれに屈曲、屈折等の加工を施すことで、加工上の難少なく容易に成形することができる。
【００１０】
また、薄肉鋼板が防錆性の表面処理鋼板からなる場合は、オープンジョイント形成部が雨などにより濡れても錆びにくく、しかも、錆止めのための塗装の必要もない。
【００１１】
更に、上下の外壁パネル間の横目地をオープンジョイントする上下対の横向きのオープンジョイント形成部材兼用フレーム部材が、互いに同じ横断面形状の部材からなる場合、及び／又は、左右の外壁パネル間の縦目地をオープンジョイントする左右対の縦向きのオープンジョイント形成部材兼用フレーム部材が、互いに同じ横断面形状の部材からなる場合は、構成部品を共通化できて、部材の種類点数を少なくでき、更なるコストダウン、生産性向上を実現することが可能となる。
【００１２】
【発明の実施の形態】
次に、本発明の実施形態を図面に基づいて説明する。
【００１３】
図３の示す外壁構造において、１…は外壁パネルであり、２は横目地、３は縦目地であり、いずれの目地２，３もオープンジョイント化されているものである。
【００１４】
図１、図２に示すように、外壁パネル１は、外装材４の裏面にパネルフレーム５を取り付けて構成されており、パネルフレーム５は、外装材４の上下の縁部に横向きに取り付けられた横フレーム部材６，６と、外装材４の左右の縁部に縦向きに取り付けられた縦フレーム部材７，７とを含んでいる。そして、これら縦横フレーム部材６，６，７，７が、オープンジョイント形成部６ｂ，６ｂ，７ｂ，７ｂを含んだオープンジョイント形成部材兼用のフレーム部材に構成されている。
【００１５】
即ち、図１に示す横フレーム部材６，６において、６ａ，６ａは横断面コ字状のフレーム部材本体部、６ｂ，６ｂはオープンジョイント形成部であり、各横フレーム部材６，６はそれぞれ、溶融亜鉛メッキなどの表面処理の施された薄肉の表面処理鋼板の成形品からなり、薄肉鋼板に折り曲げ、屈折、屈曲等の成形加工を施して、オープンジョイント形成部６ｂ，６ｂを部分として一体に含んだオープンジョイント形成部材兼用のフレーム部材に形成されている。横フレーム部材６，６におけるオープンジョイント形成部６ｂ，６ｂは、それらの間に、後方に向けて階段状にのぼって水を侵入しにくくする等圧空間部８を形成する特定横断面形状に成形されている。そして、図示のように、上下に対をなして対向する横フレーム部材６，６は、オープンジョイント形成部６ｂ，６ｂを含んで、互いに同じ横断面形状の共通部材からなっており、これら横フレーム部材６，６を上下の外装材４，４に上下逆に向けて対向するように取り付けることで、オープンジョイント形成部６ｂ，６ｂ間に上記のような階段状の等圧空間部８が形成される構成となされている。なお、９は、ゴムなどの材料からなるレインバリア、１０はガスケットである。
【００１６】
また、図２に示す縦フレーム部材７，７において、７ａ，７ａは横断面コ字状のフレーム部材本体部、７ｂ，７ｂはオープンジョイント形成部である。これら縦フレーム部材７，７もそれぞれ、溶融亜鉛メッキなどの表面処理の施された薄肉の表面処理鋼板の成形品からなり、薄肉鋼板に折り曲げ、屈折、屈曲等の成形加工を施して、オープンジョイント形成部７ｂ，７ｂを部分として一体に含んだオープンジョイント形成部材兼用のフレーム部材に形成されたものである。縦フレーム部材７，７におけるオープンジョイント形成部７ｂ，７ｂは、それらの間に、後方に向けて蛇行し、水を侵入しにくくする等圧空間部１１を形成する態様のものに成形されている。そして、図示のように、左右に対をなして対向する縦フレーム部材７，７は、オープンジョイント形成部７ｂ，７ｂを含んで、互いに同じ横断面形状の共通部材からなっており、これら横フレーム部材７，７を左右の外装材４，４に左右逆に向けて対向するように取り付けることで、オープンジョイント形成部７ｂ，７ｂ間に上記のような蛇行以上等圧空間部１１が形成される構成となされている。なお、１２はレインバリア、１３はウインドバリア用のガスケットである。
【００１７】
図２（イ）に示すように、縦横フレーム材６，７の端部同士は、例えば、いずれか一方（図示の場合は、横フレーム部材６）の端部に絞り加工を施し、この絞り端部１４を、もう一方（図示の場合、縦フレーム部材７）の端部に嵌め込み、リベット１５…などの接合手段にて接合するというようにして連結すればよい。
【００１８】
上記のオープンジョイント構造では、パネルフレーム５を構成するフレーム部材６，６，７，７に、目地２，３をオープンジョイント化するオープンジョイント形成部６ｂ，６ｂ，７ｂ，７ｂを、部分として一体に含ませ、フレーム部材６，６，７，７をオープンジョイント形成部材兼用のフレーム部材に構成しているから、外壁パネル１のオープンジョイント構造を構成する部材点数を削減できて、コストダウン、生産性向上を実現できる。しかも、オープンジョイント形成部材兼用のフレーム部材６，６，７，７が薄肉鋼板の成形品からなるから、パネルフレーム５を強度面等において有利な鋼製としながら、オープンジョイント形成部を含んで複雑で特種な横断面形状のパネルフレーム部材６，６，７，７を、加工上の難少なく、容易に成形することができる。また、薄肉鋼板が溶融亜鉛メッキ等の防錆の表面処理の施された表面処理鋼板からなるから、オープンジョイント形成部６ｂ，６ｂ，７ｂ，７ｂが雨などにより濡れても錆びにくく、また、錆止めのための塗装も必要ない。更に、横フレーム部材６，６は、これが外装材４の上縁に取り付けられるものであるか下縁に取り付けられるものであるかにかかわらず、同じ横断面形状の共通部材に構成されており、また、縦フレーム部材７，７についても、これが外装材４の左縁に取り付けられるものであるか、右縁に取り付けられるものであるかにかかわらず、同じ横断面形状の共通部材に構成されているから、構成部材の種類点数を減らすことができて、更なるコストダウン、生産性向上が実現される。
【００１９】
【発明の効果】
上述の次第で、本発明の、外壁パネルのオープンジョイント構造及び外壁パネルは、上記のような構成を有するものであるから、オープンジョイント構造を実現する上で、部材点数を削減でき、コストダウン、生産性向上を実現することが可能となるなど、種々の利点を有する。
【図面の簡単な説明】
【図１】図（イ）は横目地におけるオープンジョイント構造の実施形態を示す図３のＩ−Ｉ線断面図、図（ロ）は横フレーム部材の断面斜視図である。
【図２】図（イ）は縦目地におけるオープンジョイント構造の実施形態を示す図３のＩＩ−ＩＩ線断面図、図（ロ）は縦フレーム部材の断面斜視図である。
【図３】外壁の正面図である。
【図４】従来のオープンジョイント構造を示す断面図である。
【符号の説明】
１…外壁パネル
２…横目地
３…縦目地
４…外装材
５…パネルフレーム
６…横フレーム部材
６ｂ…オープンジョイント形成部
７…縦フレーム部材
７ｂ…オープンジョイント形成部
【図１】
0004246837.tif 000002
【図２】
0004246837.tif 000003
【図３】
0004246837.tif 000004
【図４】
0004246837.tif 000005